(57)【要約】【課題】表題紙をケースに挿入した後の展開状態への復帰を良好にし、表題紙の端部を透明カバーの固着部分に合わせてきちんと位置決めすることができる表題紙挿入装置を提供する。【解決手段】展開された表題紙１８を受け入れる受入状態と表題紙を変形する変形状態とに変位可能な巻込機構４４と、巻込機構４４を変形状態及び受入状態との間で変位させるべく駆動する駆動機構４６と、巻込機構４４を受入状態に復帰させるように付勢する付勢部材４８と、を備える。巻込機構４４は、受入状態で表題紙１８を受け入れた後、表題紙１８を変形し、この変形状態で透明カバー１４とケース本体１２との間に形成された挿入空間に挿入され、該挿入空間内で受入状態に戻る。【選択図】  図１
2005022681.tif 000002
【特許請求の範囲】
【請求項１】
表紙体と裏表紙体とが折畳み可能となったケース本体と、該表紙体から裏表紙体にかけて被覆され、表紙体と裏表紙体のそれぞれの端縁に接着された透明カバーと、からなるケースに対して、その透明カバーとケース本体との間に表題紙を挿入する表題紙挿入装置であって、
透明カバーとケース本体との間を広げて、これらの間に表題紙挿入のための挿入空間を形成するケース保持機構と、
展開された表題紙を受け入れる受入状態と表題紙を変形する変形状態とに変位可能な変形機構と、
変形機構を変形状態及び受入状態との間で変位させるべく駆動する駆動機構と、
変位部材を受入状態に復帰させるように付勢する付勢部材と、を備え、
前記変形機構は、受入状態で表題紙を受け入れた後、表題紙を変形し、この変形状態で前記挿入空間内に挿入され、該挿入空間内で受入状態に戻ることを特徴とする表題紙挿入装置。
【請求項２】
前記変形機構は、表題紙の一部を断面Ｓ字形状となるように巻込むことを特徴とする請求項１記載の表題紙挿入装置。
【請求項３】
表紙体と裏表紙体とが折畳み可能となったケース本体と、該表紙体から裏表紙体にかけて被覆され、表紙体と裏表紙体のそれぞれの端縁に接着された透明カバーと、からなるケースに対して、その透明カバーとケース本体との間に表題紙を挿入する表題紙挿入装置であって、
透明カバーとケース本体との間を広げて、これらの間に表題紙挿入のための挿入空間を形成するケース保持機構と、
展開された表題紙を受け入れる受入状態と表題紙を変形する変形状態とに変位可能な変形機構と、
変形機構を変形状態及び受入状態との間で変位させるべく駆動する駆動機構と、を備え、
前記変形機構は、変形状態で、表題紙の一部を断面Ｓ字形状となるように巻込むことを特徴とする表題紙挿入装置。
【請求項４】
前記変形機構は、一対のスリットが形成されて２つ割れされた外筒と、一対のスリットが形成されて２つ割れされると共に、外筒に対して回動可能に軸支された内筒と、からなり、外筒のスリットと内筒のスリットとが整列した受入状態と、この受入状態から内筒が回転した変形状態との間で変位可能であることを特徴とする請求項２または３記載の表題紙挿入装置。
【発明の詳細な説明】
【０００１】
【発明の属する技術分野】
本発明は、ＣＤ、ＤＶＤ、ビデオカセット等の情報記録媒体等が装填されるケースに、表題紙を挿入するための表題紙挿入装置に関する。
【０００２】
【従来の技術】
従来、表紙体と裏表紙体とが折畳み可能となったケース本体と、該表紙体から裏表紙体にかけて被覆され、表紙体と裏表紙体のそれぞれの端縁に固着された透明カバーと、からなるケースに対して、その透明カバーとケース本体との間に表題紙を挿入するための表題紙挿入装置が提案されている（例えば、特許文献１）。この特許文献１に記載の表題紙挿入装置では、ケース本体を扁平な逆Ｖ字状に屈曲させ、透明カバーをその自重によって略Ｖ字形状に撓ませ、これによって、ケース本体と透明カバーとの間に表題紙挿入のための挿入空間を形成させる空間形成機構と、表題紙の着脱のための吸引または圧搾空気噴出用の複数の孔が形成された波形状の合わせ面を有した上型と、上型に対向配置され前記合わせ面に対応する波形状の合わせ面を有し、上型に対して接近・離反可能な下型と、を備えている。
【０００３】
そして、この表題紙挿入装置では、はじめに上型と下型の間に表題紙を配置し、下型を上型に接近させることにより、表題紙を上型と下型との各合わせ面で挟着し、表題紙を波形形状とし、上型の合わせ面に吸引保持する。ついで、下型を上型から離反させ、この状態で、空間形成機構により形成されたケース本体と透明カバーとの間の挿入空間内に上型を進入させる。このとき表題紙は波形形状で挿入され、その後、上型の孔から圧搾空気を噴出させて、表題紙を合わせ面から分離して、上型を透明カバー内から退出させる。このように、上型の孔から圧搾空気を噴出させることにより、表題紙が薄くて弾性がない素材から構成されている場合でも、表題紙が容易に展開状態に戻るようにしている。
【０００４】
【特許文献１】
特開２００１−３１０２５号公報
【０００５】
【発明が解決しようとする課題】
しかしながら、特許文献１に記載の構成のように上型の孔から圧搾空気を噴出させたとしても、この圧搾空気は、上型からの表題紙の離型を容易にするだけであり、表題紙が元の展開形状に戻すように作用する訳ではない。表題紙の戻りは、表題紙自身の弾性によるものに依存することになる。そのため、依然として、表題紙の戻りが不完全であり、表題紙の端部を透明カバーの固着部分に合わせてきちんと位置決めすることが困難であるという問題がある。
【０００６】
さらには、通常、このような上型は金属製のような硬質の素材で構成されるため、上型に吸着された表題紙に吸着跡が残ってしまい、挿入された表題紙の見栄えを悪化させてしまうという問題もある。
【０００７】
本発明はかかる課題に鑑みなされたもので、その目的は、表題紙をケースに挿入した後の展開状態への復帰を良好にし、表題紙の端部を透明カバーの固着部分に合わせてきちんと位置決めすることができる表題紙挿入装置を提供することである。また、他の目的は、表題紙をケースにより簡単に挿入することができる表題紙挿入装置を提供することである。さらに他の目的は、ケース挿入後の表題紙の見栄えを良好に保持することができる表題紙挿入装置を提供することである。
【０００８】
【課題を解決するための手段】
前述した目的を達成するために、請求項１記載の発明は、表紙体と裏表紙体とが折畳み可能となったケース本体と、該表紙体から裏表紙体にかけて被覆され、表紙体と裏表紙体のそれぞれの端縁に接着された透明カバーと、からなるケースに対して、その透明カバーとケース本体との間に表題紙を挿入する表題紙挿入装置であって、
透明カバーとケース本体との間を広げて、これらの間に表題紙挿入のための挿入空間を形成するケース保持機構と、
展開された表題紙を受け入れる受入状態と表題紙を変形する変形状態とに変位可能な変形機構と、
変形機構を変形状態及び受入状態との間で変位させるべく駆動する駆動機構と、
変位部材を受入状態に復帰させるように付勢する付勢部材と、を備え、
前記変形機構は、受入状態で表題紙を受け入れた後、表題紙を変形し、この変形状態で前記挿入空間内に挿入され、該挿入空間内で受入状態に戻ることを特徴とする。
【０００９】
変形機構が、受入状態で表題紙を受け入れた後、駆動機構により駆動されて表題紙を変形して変形状態となり、この変形状態でケースの挿入空間内に挿入されて、表題紙を該挿入空間に挿入する。その後、変形機構は、挿入空間内で受入状態に戻るが、この際に、付勢部材が、変形機構をその受入状態へと戻るように付勢するために、変形機構は、表題紙を元の展開状態へと戻すように付勢する。このため、表題紙は、自身の弾性のみならず、強制的に元の展開状態へと広がることになり、表紙部の端部をケースの透明カバーの固着部分に突き当てて位置決めすることができる。
【００１０】
請求項１記載の変形機構は、表題紙を波形、巻形等の任意の形状に変形することができるものであればよいが、請求項２記載の発明は、請求項１記載の前記変形機構が、表題紙の一部を断面Ｓ字形状となるように巻込むことを特徴とする。この構成により、表題紙の水平面への投影面積をより小さくすることができて、ケースの挿入空間への挿入をより容易にすることができる。さらには、表題紙を巻込むことにより、表題紙自身の巻込状態から展開状態への復元力もさらに高めることができる。
【００１１】
請求項３記載の発明は、表紙体と裏表紙体とが折畳み可能となったケース本体と、該表紙体から裏表紙体にかけて被覆され、表紙体と裏表紙体のそれぞれの端縁に接着された透明カバーと、からなるケースに対して、その透明カバーとケース本体との間に表題紙を挿入する表題紙挿入装置であって、
透明カバーとケース本体との間を広げて、これらの間に表題紙挿入のための挿入空間を形成するケース保持機構と、
展開された表題紙を受け入れる受入状態と表題紙を変形する変形状態とに変位可能な変形機構と、
変形機構を変形状態及び受入状態との間で変位させるべく駆動する駆動機構と、を備え、
前記変形機構は、変形状態で、表題紙の一部を断面Ｓ字形状となるように巻込むことを特徴とする。この構成により、表題紙の水平面への投影面積をより小さくすることができて、ケースの挿入空間への挿入をより容易にすることができる。さらには、表題紙を巻込むことにより、表題紙自身の巻込状態から展開状態への復元力もさらに高めることができる。
【００１２】
請求項４記載の発明は、請求項２または３の前記変形機構が、一対のスリットが形成されて２つ割れされた外筒と、一対のスリットが形成されて２つ割れされると共に、外筒に対して回動可能に軸支された内筒と、からなり、外筒のスリットと内筒のスリットとが整列した受入状態と、この受入状態から内筒が回転した変形状態との間で変位可能であることを特徴とする。これにより、簡単な構成で且つ表題紙を傷めることなく、表題紙を巻込むことができ、ケース挿入後の表題紙の見栄えを良好に維持することができる。
【００１３】
【発明の実施の形態】
以下、図面を用いて本発明の実施の形態を説明する。尚、以下の実施形態は本発明を限定するものではない。
【００１４】
図１は、本発明の実施形態による表題紙挿入装置を表す全体斜視図である。図において、表題紙挿入装置２０は、大まかに、ケース保持機構２２と、表題紙巻込部２４とから構成される。
【００１５】
ケース保持機構２２は、ケース１０が装填されるケースマガジン３２から順にケース１０を吸着して引き出し、ケース１０を開くと共に表題紙挿入のための挿入空間を形成するものである。
【００１６】
ケース１０は、図８に示したように、表紙体１２ａと裏表紙体１２ｂとが折畳み可能となりプラスチックで構成されるケース本体１２と、表紙体１２ａから裏表紙体１２ｂにかけて被覆され、その両端縁１４ａ、１４ｂが表紙体１２ａと裏表紙体１２ｂのそれぞれの端縁に接着された透明のプラスチックシートで構成される透明カバー１４と、からなっている。表紙体１２ａと裏表紙体１２ｂは、その端縁部にそれぞれ係止部１２ｃ、１２ｄが形成されており、係止部１２ｃ、１２ｄが係止されることによって閉じ、係止部１２ｃ、１２ｄの係止が解除されることによって開く。そして、ケース１０の内部は、ディスク状情報記録媒体等を保持するための保持部１２ｅが形成されている。
【００１７】
ケース保持機構２２は、ケースマガジン３２に装填されたケース１０を１つずつ引き出し、ケース１０の表紙体１２ａと裏表紙体１２ｂをそれぞれ吸着して、係止部１２ｃ、１２ｄの係止を解除した後、表紙体１２ａと裏表紙体ケース１２ｂを１８０度以上広げて逆Ｖ字状にする開放機構３４と、透明カバー１４を吸着してＶ字状になるまで広げて、ケース本体１２と透明カバー１４との間に菱型形状の挿入空間を形成して表題紙巻込部２４へとケース１０を移送する移送機構３６とを、有するものである。
【００１８】
図２に示すように、前記表題紙巻込部２４の周囲には、９０度ごとに４つのステーションＳ１、Ｓ２、Ｓ３、Ｓ４が設けられ、テーブル４２が回転して、順にステーションＳ１〜Ｓ４を巡回するようになっている。
【００１９】
ステーションＳ１には、表題紙１８が装填された表題紙マガジン５０が設けられると共に、表題紙マガジン５０から１枚の表題紙１８を吸着して、表題紙巻込部２４へと表題紙１８を給紙する給紙機構７２が設けられている。ステーションＳ２は、後述のように、給紙された表題紙巻込部２４が変位を行い、表題紙１８の挿入のための準備を行うと共に、位置決めプッシャ７４が表題紙巻込部２４へと表題紙１８を押し込む所である。ステーションＳ３は、前述のケース保持機構２２がケース１０の挿入空間を形成し、ケース１０を表題紙巻込部２４へと移送する所である。また、ステーションＳ４には、表題紙１８が挿入されたケース１０を吸着して、表題紙巻込部２４から取出す排出機構（図示略）が設けられている。
【００２０】
前記表題紙巻込部２４は、表題紙１８を巻き込むようにして変形させると共に、変形させた表題紙１８をケース１０に形成された前記ケース本体１２と透明カバー１４との間の挿入空間に挿入して、表題紙を挿入空間内で位置決めするためのものであり、おおまかに、鉛直軸を中心軸として回転可能となった略正方形の前記テーブル４２と、テーブル４２の４つの辺の中心部に設けられて展開された表題紙を受け入れる受入状態と表題紙を巻き込む変位形状とに変位可能な巻込機構（変位機構）４４と、巻込機構４４を駆動する駆動機構４６と、巻込機構４４を受入状態に復帰させるように付勢する付勢部材４８と、備える。
【００２１】
以下、表題紙巻込部２４の各機構について、図３〜図７を参照しながら、詳細に説明する。
【００２２】
図４及び図５に示したように、巻込機構４４は、おおまかに、外筒５２と内筒５４とから構成される。外筒５２は、その基部がテーブル４２の各辺の中点部分に取り付けられており、テーブル４２の中心軸から放射方向に伸びている。外筒５２は、基部を除き、１８０度に離間して一対のスリット５２ｂ、５２ｂが形成されて上下に２つ割れしている。外筒５２の内側には、同様に１８０度に離間して一対のスリット５４ｂ、５４ｂが形成されて２つ割れした内筒５４が同心状に配置されている。内筒５４は、外筒５２の基部において、外筒５２に対して回転可能に軸受されている。外筒５２のスリット５２ｂの近傍部分には、水平方向に伸びるガイド板５２ａ、５２ａが、外筒５２の中心軸に対して軸対称の位置にそれぞれ取り付けられており、ガイド板５２ａ、５２ａは、それぞれ外筒５２の放射方向に延びている。同様に、内筒５４のスリット５４ｂの近傍部分には、水平方向に伸びるガイド板５４ａ、５４ａが、内筒５４の中心軸に対して軸対称の位置にそれぞれ取り付けられており、ガイド板５４ａ、５４ａは、それぞれ内筒５４の放射方向に延びている。これらのガイド板５２ａ、５４ａは、後述のように、表題紙１８を円滑に巻込むように表題紙１８をガイドするためのものである。また、内筒５４内の基部付近には、表題紙１８の奥の端部を仮保持するための板バネ５５が設けられている。尚、外筒５２の上方の両側には、ケース受板７６、７６及びケース受板７６の上方に押えローラ７８、７８が設けられている。これらは、ステーションＳ３において、移送されたケース１０のケース本体１２を上下で支持するものである。
【００２３】
駆動機構４６は、前記巻込機構４４の内筒５４を外筒５２に対して回転駆動するためのものである。即ち、前記内筒５４の基部は、外筒５２の基部を貫通して、ピニオン５６に一体回転可能に連結されている。図３及び図６に示すように、ピニオン５６は、テーブル４２を挿通して上下動可能となったラック５８に噛合っている。ラック５８の下端は、テーブル４２の下方において、上下動可能となった可動ブロック６０に固定される。可動ブロック６０の両側には、２つのガイドロッド６２、６２の下端が固定されており、ガイドロッド６２、６２は、テーブル４２に固定されたガイドスリーブ６３、６３を摺動可能に挿通して、その上端は、テーブル４２の上方において、第２可動ブロック６４に固定されている。
【００２４】
テーブル４２の下方において、上下動可能に配置された可動ブロック６０には、カムフォロア６６が固定される。カムフォロア６６は、テーブル４２の下方に固定的に配置されたカム円筒６８の上面に形成されたカム面６８ａと係合しており、該カム面６８ａに沿って移動するようになっている。固定のカム筒６８のカム面６８ａは、上記ステーションＳ１〜Ｓ４に対応しており、図３及び図７に示すように、ステーションＳ１からステーションＳ２にかけて、上り傾斜面となり、ステーションＳ３からステーションＳ４にかけて下り傾斜面となり、ステーションＳ４からステーションＳ１は低面、ステーションＳ２からステーションＳ４は高面となっている。
【００２５】
これらのピニオン５６、ラック５８、可動ブロック６０、カムフォロア６６及びカム筒６８とによって駆動機構４６が構成され、巻込機構４４の内筒５４を回転駆動する。但し、駆動機構４６としては、この機構に限るものではなく、任意の構成をとることができる。
【００２６】
また、可動ブロック６０とテーブル４２の下面との間には、付勢部材としての、圧縮バネ４８が介挿されており、圧縮バネ４８は、可動ブロック６０を常時、テーブル４２から離反する下方へと押圧している。
【００２７】
以上のように構成される表題紙巻込部２４の作用を説明する。テーブル４２は、図示しないモータの駆動により、鉛直軸を中心として一方向（図の例では上方から見て反時計回り）に９０度ごとに回転しており、これに伴い、テーブル４２の４辺に設けられた巻込機構４４は、ステーションＳ１〜Ｓ４を繰り返し巡回するようになっている。
【００２８】
今、１つの巻込機構４４に着目し、その巻込機構４４がステーションＳ１に位置しているとする。この状態においては、巻込機構４４は、受入状態となっており（図１０参照）、外筒５２のスリット５２ｂと内筒５４のスリット５４ｂとが整列し、且つ、外筒５２に取り付けられたガイド板５２ａと内筒５４に取り付けられたガイド板５４ａとが平行状態を維持している。表題紙マガジン５０から給紙機構７２によって吸着されて取出された表題紙１８は、展開された状態でほぼ平行に、巻込機構４４へと運ばれて、外筒５２と内筒５４のスリット５２ｂ、５４ｂ内へと挿入され、一番奥の端部が内筒５４の内部に設けられた板バネ５５に挟着される（図９Ｓ１、図１１参照）。
【００２９】
給紙が完了すると、テーブル４２の回転により巻込機構４４は、ステーションＳ２に向かって移動する。この際に、駆動機構４６のカム筒６８のカム面６８ａが上り傾斜面となっているため、このカム面６８ａに沿って移動するカムフォロア６６が上方へと移動し、圧縮バネ４８の付勢力及び重力に逆らい、可動ブロック６０及びラック５８とが上方へと移動する。これによって、ラック５８に噛合ったピニオン５６が回動し、内筒５４が外筒５２に対して回動する。このときの内筒５４の回動角度は任意とすることができるが、この実施形態では、約１８０度回転する巻込形状の変位状態となる。これに伴い、表題紙１８は、外筒５２の内側にある部分が巻込まれて、その少なくとも一部の断面形状が略Ｓ字形状となる（図９Ｓ２、図１２参照）。表題紙１８は、巻込まれた分だけ、その水平面への投影面積は縮小することとなる。また、ステーションＳ２では、位置決めプッシャ７４が表題紙１８の手前側から表題紙１８を押圧して、表題紙１８の前後の位置（ケース内での上下位置）の位置決めを行う。
【００３０】
こうして挿入準備がなされると、テーブル４２の回転により巻込機構４４は、ステーションＳ３に向かって移動する。ステーションＳ３において、ケース保持機構２２によって、挿入空間が形成されたケース１０が運ばれて、ケース１０の菱型形状の挿入空間内に、表題紙１８と共に巻込機構４４が相対的に挿入される（図９Ｓ３参照）。表題紙１８は、その断面形状が略Ｓ字形状であり、投影面積が小さいため、挿入作業が容易となり、ケース１０に干渉することなく作業を行うことができる。
【００３１】
次いで、ステーションＳ４へと向かうと、駆動機構４６のカム筒６８のカム面６８ａが下り傾斜面となっているため、このカム面６８ａに沿って移動するカムフォロア６６が圧縮バネ４８の復元力及び重力によって、下方へと移動し、これに追随して、可動ブロック６０及びラック５８とが下方へと移動する。これによって、ラック５８に噛合ったピニオン５６が先と逆方向へと回動し、内筒５４が外筒５２に対して元の受入状態へと復帰する。この復帰の際には、内筒５４は圧縮バネ４８の復元力によって、元の受入状態へと戻るために、表題紙１８は、自身の弾性のみならず、内筒５４の復帰に誘導されて、元の水平な展開形状へと戻るよう強制される（図９Ｓ４）。この圧縮バネ４８の復元力によって付勢された表題紙１８の両端部が、ケース１０の透明カバー１４の固着部分に突き刺さるように当接し、従って、透明カバー１４の固着部分に揃って位置決めされる。また、表題紙１８は、変形形状が断面Ｓ字形状となっており、部分的に折り返されているために、それ自身の水平方向への復元力も高まっており、この高い復元力で展開される。
【００３２】
こうして、表題紙１８がケース１０内へ挿入されると、ステーションＳ４で排出機構によって、表題紙１８と共にケース１０が吸着されて排出され、次のケース１０内への記録媒体装填作業等に供される。
【００３３】
以上のように、本実施形態では、表題紙１８を変形させる際には、内筒５４の回動に追随させて行っており、吸着などは一切行っていない。そのため、吸着跡のような変形跡が残ることなく、ケース１０内に挿入された表題紙１８の見栄えを良好に保つことができる。
【００３４】
また、本実施形態では、巻込機構４４として２つのスリットが形成された筒５２、５４を使用したが、これに限るものではなく、任意の構成をとることができる。例えば、スリット５２ｂが形成された外筒５２の代わりに２つの断面円弧状のシャフトからなるものを使用することもでき、または、スリット５４ｂが形成された内筒５４の代わりに、２つの任意の断面形状のシャフトを使用することもできる。
【００３５】
【発明の効果】
以上説明したように、本発明によれば、表題紙の変形された状態から元に戻るときの復元力を高めることができ、表題紙の端部を透明カバーの固着部分に突き合わせて位置決めすることができる。
【図面の簡単な説明】
【図１】本発明の実施形態による表題紙挿入装置の全体斜視図である。
【図２】本発明の実施形態による表題紙挿入装置の表題紙巻込部の全体平面図である。
【図３】表題紙巻込部の要部断面図である。
【図４】巻込機構の断面図である。
【図５】図４の５−５線に沿って見た断面図である。
【図６】駆動機構及び付勢部材を表す図であり、（ａ）は巻込機構が受入状態のときの図、（ｂ）は巻込機構が変形状態のときの図である。
【図７】カム筒の斜視図である。
【図８】（ａ）ケースの開いた状態での平面図、（ｂ）は挿入空間が形成された状態での正面図である。
【図９】各ステーションにおける巻込機構及び表題紙の状態を表す図である。
【図１０】巻込機構の受入状態の斜視図である。
【図１１】巻込機構の表題紙が受け入れられた状態の斜視図である。
【図１２】巻取機構の変形状態の斜視図である。
【符号の説明】
１０  ケース
１２  ケース本体
１２ａ  表紙体
１２ｂ  裏表紙体
１４  透明カバー
１８  表題紙
２２  ケース保持機構
４４  巻込機構（変形機構）
４６  駆動機構
４８  付勢部材
５２  外筒
５２ｂ  スリット
５４  内筒
５４ｂ  スリット
【図１】
2005022681.tif 000003
【図２】
2005022681.tif 000004
【図３】
2005022681.tif 000005
【図４】
2005022681.tif 000006
【図５】
2005022681.tif 000007
【図６】
2005022681.tif 000008
【図７】
2005022681.tif 000009
【図８】
2005022681.tif 000010
【図９】
2005022681.tif 000011
【図１０】
2005022681.tif 000012
【図１１】
2005022681.tif 000013
【図１２】
2005022681.tif 000014